(57)【要約】【課題】中央内底部にパルセータを回転自在に配設した洗濯兼脱水槽を内包する外槽を有する洗濯機において、外槽底面の残水を低減し、この残水による外槽底面の汚れやかびを防止し、衣類への汚れやかびの再付着を防止する。【解決手段】中央内底部にパルセータ２を回転自在に配設した洗濯兼脱水槽３を外槽１５に内包し、外槽１５の底面に設けた開口部１７に排水弁９を連通する。外槽１５は、底面１６に開口部１７に向けて下降する傾斜面１８を形成する。【選択図】    図１
2004147741.tif 000002
【特許請求の範囲】
【請求項１】
中央内底部にパルセータを回転自在に配設した洗濯兼脱水槽と、前記洗濯兼脱水槽を内包する外槽と、前記外槽の底面に設けた開口部に連通する排水弁とを備え、前記外槽は、底面に前記開口部に向けて下降する傾斜面を形成した洗濯機。
【請求項２】
中央内底部にパルセータを回転自在に配設した洗濯兼脱水槽と、前記洗濯兼脱水槽を内包する外槽と、前記外槽の底面に設けた開口部に連通する排水弁とを備え、前記外槽は、底面に前記開口部に重なる自由曲線を最下面とする傾斜面を形成した洗濯機。
【請求項３】
中央内底部にパルセータを回転自在に配設した洗濯兼脱水槽と、前記洗濯兼脱水槽を内包する外槽と、前記外槽の底面に設けた開口部に連通する排水弁とを備え、前記開口部は、複数箇所に配置可能とし、かつ前記外槽は、底面に前記開口部の複数箇所に共通して重なる自由曲線を最下面とする傾斜面を形成した洗濯機。
【請求項４】
中央内底部にパルセータを回転自在に配設した洗濯兼脱水槽と、前記洗濯兼脱水槽を内包する外槽と、前記外槽の底面に設けた開口部に連通する排水弁とを備え、前記外槽は、底面にシボ加工等の親水性の加工または処理を施した洗濯機。
【請求項５】
中央内底部にパルセータを回転自在に配設した洗濯兼脱水槽と、前記洗濯兼脱水槽を内包する外槽と、前記外槽の底面に設けた開口部に連通する排水弁とを備え、前記外槽は、底面に前記開口部近傍に連なるリブを設けた洗濯機。
【発明の詳細な説明】
【０００１】
【発明の属する技術分野】
本発明は、中央内底部にパルセータを回転自在に配設した洗濯兼脱水槽を内包する外槽を有する洗濯機に関する。
【０００２】
【従来の技術】
従来、代表的な洗濯機は、パルセータと呼ばれる撹拌翼を回転させて洗濯するものであり、この種の洗濯機の構成を図１３を参照しながら説明する。
【０００３】
図１３に示すように、外槽１は、底部にパルセ−タ２を回転自在に配設した洗濯兼脱水槽３を内包し、吊り棒４により筐体５に吊り下げている。モータ６は、Ｖベルト７および減速機構兼クラッチ８を介して、パルセ−タ２または洗濯兼脱水槽３を駆動する。排水弁９は外槽１の底面に設けた開口部１０を介して洗濯兼脱水槽３内の洗濯水を排水し、給水弁１１は洗濯兼脱水槽３内に給水するものである。
【０００４】
洗濯兼脱水槽３に脱水時の振動を低減させるための流体バランサー１２を設け、洗濯兼脱水槽３の上部に蓋１３を配設している。制御装置１４は、モータ６、排水弁９、給水弁１１などを制御して、洗濯、すすぎ、脱水の各行程を逐次制御するものである。
【０００５】
上記構成において動作を説明すると、洗濯兼脱水槽３に洗濯物と所定量の洗剤を投入した後、運転を開始すると制御装置１４により給水弁１１を制御して洗濯兼脱水槽３内に所定量の水を給水し、その後制御装置１４により、モータ６を制御してパルセ−タ２を駆動する。パルセ−タ２の回転によって洗濯兼脱水槽３内の洗濯物と水とを撹拌し、この撹拌によって洗剤を徐々に溶解して洗濯水となり、洗濯物の汚れをおとし、所定時間後に排水弁９を動作し開口部１０を介して排水する。すすぎ、脱水時も排水時は、排水弁９の動作し開口部１０を介して排水することとなる（例えば、特許文献１参照）。
【０００６】
【特許文献１】
特開２００２−１０２５８３号公報
【０００７】
【発明が解決しようとする課題】
しかしながら、この構成の洗濯機の場合、洗濯水が入った外槽１からの排水時に、排水弁９と連通する外槽１の開口部１０を設けた底面は平坦面で形成されているため、水頭による圧力が小さくなる排水終了間近では、開口部１０より遠い箇所は表面張力により洗濯水の残水が発生し、外槽１の底面は、この残水による汚れやかびを発生させる問題を有していた。また、この汚れやかびが洗濯時に衣類に再付着する等の問題も有していた。
【０００８】
本発明は上記課題を解決するもので、洗濯兼脱水槽を内包する外槽の残水を低減し、この残水による外槽底面の汚れやかびを防止し、衣類への汚れやかびの再付着を防止することを目的としている。
【０００９】
【課題を解決するための手段】
本発明は上記目的を達成するために、中央内底部にパルセータを回転自在に配設した洗濯兼脱水槽を外槽に内包し、外槽の底面に設けた開口部に排水弁を連通し、外槽は、底面に開口部に向けて下降する傾斜面を形成したものである。
【００１０】
これにより、洗濯兼脱水槽を内包する外槽の残水を低減することができ、この残水による外槽底面の汚れやかびを防止でき、衣類への汚れやかびの再付着を防止することができる。
【００１１】
【発明の実施の形態】
本発明の請求項１に記載の発明は、中央内底部にパルセータを回転自在に配設した洗濯兼脱水槽と、前記洗濯兼脱水槽を内包する外槽と、前記外槽の底面に設けた開口部に連通する排水弁とを備え、前記外槽は、底面に前記開口部に向けて下降する傾斜面を形成したものであり、排水弁に連通する外槽の開口部を設けた底面は開口部に向けて下降する傾斜面を形成しているため、洗濯水が入った外槽からの排水時に、水頭による圧力が小さくなる排水終了間近であっても、開口部より遠い箇所の表面張力より傾斜面によって発生する重力が勝るため、外槽底面の洗濯水は開口部に流入し、残水の防止ができ、この残水による外槽の底面の汚れ付着やかびの発生を防止することができ、衣類への汚れやかびの再付着を防止することができる。
【００１２】
請求項２に記載の発明は、中央内底部にパルセータを回転自在に配設した洗濯兼脱水槽と、前記洗濯兼脱水槽を内包する外槽と、前記外槽の底面に設けた開口部に連通する排水弁とを備え、前記外槽は、底面に前記開口部に重なる自由曲線を最下面とする傾斜面を形成したものであり、排水弁に連通する外槽の開口部を設けた底面は開口部に重なる自由曲線を最下面とする傾斜面から形成しているため、外槽底面の洗濯水は開口部に流入し、残水の防止ができ、この残水による外槽の底面の汚れ付着やかびの発生を防止することができ、衣類への汚れやかびの再付着を防止することができる。
【００１３】
請求項３に記載の発明は、中央内底部にパルセータを回転自在に配設した洗濯兼脱水槽と、前記洗濯兼脱水槽を内包する外槽と、前記外槽の底面に設けた開口部に連通する排水弁とを備え、前記開口部は、複数箇所に配置可能とし、かつ前記外槽は、底面に前記開口部の複数箇所に共通して重なる自由曲線を最下面とする傾斜面を形成したものであり、排水弁に連通する外槽の開口部を設けた底面は開口部の複数箇所に共通して重なる自由曲線を最下面とする傾斜面から形成しているため、外槽底面の洗濯水は開口部に流入し、残水の防止ができ、この残水による外槽の底面の汚れ付着やかびの発生を防止することができ、衣類への汚れやかびの再付着を防止することができる。
【００１４】
請求項４に記載の発明は、中央内底部にパルセータを回転自在に配設した洗濯兼脱水槽と、前記洗濯兼脱水槽を内包する外槽と、前記外槽の底面に設けた開口部に連通する排水弁とを備え、前記外槽は、底面にシボ加工等の親水性の加工または処理を施したものであり、排水弁に連通する外槽の開口部を設けた底面は撥水性を有しているため、外槽底面の洗濯水は容易に開口部に流入し、残水の防止ができ、この残水による外槽の底面の汚れ付着やかびの発生を防止することができ、衣類への汚れやかびの再付着を防止することができる。
【００１５】
請求項５に記載の発明は、中央内底部にパルセータを回転自在に配設した洗濯兼脱水槽と、前記洗濯兼脱水槽を内包する外槽と、前記外槽の底面に設けた開口部に連通する排水弁とを備え、前記外槽は、底面に前記開口部近傍に連なるリブを設けたものであり、排水弁に連通する外槽の開口部を設けた底面のリブにより開口部近傍まで残水を引き寄せるため、外槽底面の洗濯水は容易に開口部に流入し、残水の防止ができ、この残水による外槽の底面の汚れ付着やかびの発生を防止することができ、衣類への汚れやかびの再付着を防止することができる。
【００１６】
【実施例】
以下、本発明の実施例について、図面を参照しながら説明する。なお、従来例と同じ構成のものは同一符号を付して説明を省略する。
【００１７】
（実施例１）
図１に示すように、外槽１５は、洗濯兼脱水槽３を回転自在に内包し、底面１６に排水弁９に連通する開口部１７を設けるとともに、開口部１７に向かって下降する傾斜面１８を形成している。
【００１８】
制御装置１９は、図２に示すように構成しており、制御手段２０は、マイクロコンピュータで構成し、パワースイッチング手段２１を介してモータ６、排水弁９、給水弁１１などの動作を制御し、洗濯、すすぎ、脱水などの一連の行程を逐次制御する。入力設定手段２２は、運転コース等を設定するもので、制御手段２０は入力設定手段２２からの情報を入力して、その情報を基に表示手段２３で表示して使用者に知らせる。記憶手段２４は、制御手段２０により制御するのに必要なデータを記憶している。なお、２５は商用電源、２６は電源スイッチである。
【００１９】
図３は外槽１５を上からみたもので、開口部１７の中心点ｏに対し、点ａは最長遠隔ポイント、点ｂは最短遠隔ポイントである。外槽１５の傾斜面１８は、図４に示すように、水平線と線ａｏで形成される最小傾斜角αと、水平線と線ｂｏで形成される最大傾斜角βとで表される自由曲面としている。他の構成は従来例と同じである。
【００２０】
上記構成において動作を説明すると、洗濯兼脱水槽３内に洗濯物と洗剤を投入した後、運転を開始すると、制御手段２０は、給水弁１１を作動させて給水を開始し、同時に、洗濯兼脱水槽３が回転を始める。洗濯兼脱水槽３内の水位が設定水位に達するまでの間、洗濯兼脱水槽３は回転する。設定水位に達した時点で給水弁１１の動作を停止し、洗濯兼脱水槽３の内底部に回転自在に配設したパルセ−タ２を設定時間まで回転駆動する。設定時間に到達した後、制御手段２０は、排水弁９を作動させて排水を開始し、外槽１５内の洗濯水を開口部１７を介して排水弁９より排水する。
【００２１】
このとき、外槽１５の底面１６は、水平線と線ａｏで形成される最小傾斜角αと水平線と線ｂｏで形成される最大傾斜角βとで表される自由曲面である傾斜面１８で形成しているため、水頭による圧力が小さくなる排水終了間近であっても、開口部１７より遠い個所の表面張力より傾斜面１８によって発生する重力が勝るため、外槽１５の底面１６の洗濯水は開口部１７に流入し、残水はなくなる。
【００２２】
すすぎ、脱水行程においても同様に、残水の防止ができ、この残水による外槽１５の底面１６の汚れ付着やかびの発生を防止することができ、衣類への汚れやかびの再付着を防止することができる。
【００２３】
（実施例２）
図５および図６に示すように、外槽２７は、洗濯兼脱水槽３を回転自在に内包し、底面２８に排水弁９に連通する開口部２９を設けるとともに、底面２８に開口部２９に重なる自由曲線ｃを最下面とする傾斜面３０を形成している。他の構成は上記実施例１と同じである。
【００２４】
上記構成において動作を説明すると、外槽２７内の洗濯水の排水時、外槽２７は、底面２８に開口部２９に重なる自由曲線ｃを最下面とする傾斜面３０を形成しているため、水頭による圧力が小さくなる排水終了間近であっても、洗濯水は一旦傾斜面３０によって発生する重力により自由曲線ｃ上に集合し、表面張力に勝る水頭分の洗濯水は開口部２９に流入し、排水される。
【００２５】
表面張力により自由曲線ｃ上に残水した洗濯水は、傾斜面３０で形成される最下面にごく僅かしかなく、その表面張力は小さいため、すすぎ、脱水行程での洗濯兼脱水槽３の回転により発生する振動や風圧で、開口部２９に流入し、残水はなくなる。
【００２６】
これにより、外槽２７の底面２８の残水を防止することができ、この残水による外槽２７の底面２８の汚れ付着やかびの発生を防止でき、衣類への汚れやかびの再付着を防止することができる。
【００２７】
（実施例３）
図７および図８に示すように、外槽３１は、洗濯兼脱水槽３を回転自在に内包し、底面３２に排水弁９ａに連通する第１の開口部３３と排水弁９ｂに連通する第２の開口部３４を設け、かつ底面３２に第１の開口部３３と第２の開口部３４に共通して重なる自由曲線ｄを最下面とする傾斜面３５を形成している。他の構成は上記実施例１と同じである。
【００２８】
上記構成において動作を説明すると、外槽３１内の洗濯水の排水時、外槽３１は、底面３２に第１の開口部３３と第２の開口部３４に重なる自由曲線ｄを最下面とする傾斜面３５を形成しているため、水頭による圧力が小さくなる排水終了間近であっても、洗濯水は一旦傾斜面３５によって発生する重力により自由曲線ｄ上に集合し、表面張力に勝る水頭分の洗濯水は第１の開口部３３または第２の開口部３４に流入し、排水される。
【００２９】
表面張力により自由曲線ｄ上に残水した洗濯水は、傾斜面３５で形成される最下面にごく僅かしかなく、その表面張力は小さいため、すすぎ、脱水行程での洗濯兼脱水槽３の回転により発生する振動や風圧で、第１の開口部３３または第２の開口部３４に流入し、残水はなくなる。
【００３０】
これにより、外槽３１の底面３２の残水を防止することができ、この残水による外槽３１の底面３２の汚れ付着やかびの発生を防止でき、衣類への汚れやかびの再付着を防止することができる。
【００３１】
（実施例４）
図９および図１０に示すように、外槽３６は、洗濯兼脱水槽３を回転自在に内包し、底面３７に排水弁９に連通する開口部３８を設けるとともに、底面３７にシボ加工等の親水性の加工ｅを施している。他の構成は上記実施例１と同じである。
【００３２】
上記構成において動作を説明すると、外槽３６内の洗濯水の排水時、外槽３６の底面３７は、全面にシボ加工等の親水性の加工ｅを施してあるため、底面３７は親水性を有しており、水頭による圧力が小さくなる排水終了間近であっても、洗濯水は開口部３８に流入し、排水される。表面張力により残水した洗濯水は、親水性を有している底面３７にごく僅かしかなく、その表面張力は小さいため、すすぎ、脱水行程での洗濯兼脱水槽３の回転により発生する振動や風圧で、開口部３８に流入し、残水はなくなる。
【００３３】
これにより、外槽３６の底面３７の残水を防止することができ、この残水による外槽３６の底面３７の汚れ付着やかびの発生を防止でき、衣類への汚れやかびの再付着を防止することができる。
【００３４】
なお、本実施例は、外槽３６の底面３７は、シボ加工等により親水性を得ているが、親水性処理剤等の塗布によっても同様の効果を得ることができる。
【００３５】
（実施例５）
図１１および図１２に示すように、外槽３９は、洗濯兼脱水槽３を回転自在に内包し、底面４０に排水弁９に連通する開口部４１を設けるとともに、底面４０に開口部４１近傍に連なるリブ４２を複数個設けている。他の構成は上記実施例１と同じである。
【００３６】
上記構成において動作を説明すると、外槽３９内の洗濯水の排水時、外槽３９は、底面４０に開口部４１近傍に連なるリブ４２を設けているため、水頭による圧力が小さくなる排水終了間近であっても、洗濯水はリブ４２により開口部４１近傍まで引き寄せられるため、表面張力に勝る水頭分の洗濯水は開口部４１に流入し、排水される。
【００３７】
表面張力によりリブ４２の側面に残水した洗濯水は、ごく僅かしかなく、その表面張力は小さいため、すすぎ、脱水行程での洗濯兼脱水槽３の回転により発生する振動や風圧で、開口部４１に流入し、残水はなくなる。
【００３８】
これにより、外槽３９の底面４０の残水を防止することができ、この残水による外槽３９の底面４０の汚れ付着やかびの発生を防止でき、衣類への汚れやかびの再付着を防止することができる。
【００３９】
【発明の効果】
以上のように、本発明の請求項１に記載の発明によれば、洗濯兼脱水槽を内包する外槽は、底面に排水弁に連通する開口部に向けて下降する傾斜面を形成しているため、外槽底面の洗濯水は開口部に流入し、残水を防止することができ、この残水による外槽の底面の汚れ付着やかびの発生を防止でき、衣類への汚れやかびの再付着を防止することができる。
【図面の簡単な説明】
【図１】本発明の第１の実施例の洗濯機の縦断面図
【図２】同洗濯機のブロック回路図
【図３】同洗濯機の外槽の上面図
【図４】同洗濯機の外槽の底面に形成した傾斜面の説明図
【図５】本発明の第２の実施例の洗濯機の縦断面図
【図６】同洗濯機の外槽の上面図
【図７】本発明の第３の実施例の洗濯機の縦断面図
【図８】同洗濯機の外槽の上面図
【図９】本発明の第４の実施例の洗濯機の縦断面図
【図１０】同洗濯機の外槽の上面図
【図１１】本発明の第５の実施例の洗濯機の縦断面図
【図１２】同洗濯機の外槽の上面図
【図１３】従来の洗濯機の縦断面図
【符号の説明】
２  パルセ―タ
３  洗濯兼脱水槽
９  排水弁
１５  外槽
１６  底面
１７  開口部
１８  傾斜面
【図１】
2004147741.tif 000003
【図２】
2004147741.tif 000004
【図３】
2004147741.tif 000005
【図４】
2004147741.tif 000006
【図５】
2004147741.tif 000007
【図６】
2004147741.tif 000008
【図７】
2004147741.tif 000009
【図８】
2004147741.tif 000010
【図９】
2004147741.tif 000011
【図１０】
2004147741.tif 000012
【図１１】
2004147741.tif 000013
【図１２】
2004147741.tif 000014
【図１３】
2004147741.tif 000015